(57)【要約】【課題】  輸送中に緩衝材が外れてスクリーン錘がフリー状態とならず、スクリーンの破れやスクリーン錘の変形、傷付き等の不具合を解消したエレベータの乗場装置を得る。【解決手段】  左右両側部を構成する縦枠３ａ、正面上方部を構成する幕板３ｂ及び上側水平部を構成する上枠３ｃからなる乗場出入口１を形成する乗場三方枠３と、幕板の背面側でかつ前記上枠の上面側に設置され、火災時に収納状態から引き下げられて乗場出入口を閉鎖する遮煙・遮炎スクリーン６が収納された遮煙・遮炎スクリーン装置と、幕板の背面でかつ上枠と遮煙・遮炎スクリーン装置との間に位置するように設置された防煙用の当て板１２とを備える。【選択図】    図２
2006248712.tif 000002
【特許請求の範囲】
【請求項１】
左右両側部を構成する縦枠、正面上方部を構成する幕板及び上側水平部を構成する上枠からなる乗場出入口を形成する乗場三方枠と、
前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、
前記幕板の背面でかつ前記上枠と前記遮煙・遮炎スクリーン装置との間に位置するように設置された防煙用の当て板と、
を備えたことを特徴とするエレベータの乗場装置。
【請求項２】
左右両側部を構成する縦枠、正面上方部を構成する幕板及び上側水平部を構成する上枠からなる乗場出入口を形成する乗場三方枠と、
前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、
前記遮煙・遮炎スクリーンの下端部に設けられたスクリーン錘と、
前記幕板の背面でかつ前記上枠と前記遮煙・遮炎スクリーン装置との間に位置するように設置され、前記乗場三方枠を組付けて輸送する時に前記スクリーン錘との間に緩衝材を挿入可能な隙間を形成する当て板と、
を備えたことを特徴とするエレベータの乗場装置。
【請求項３】
左右両側部を構成する縦枠、正面上方部を構成する幕板及び上側水平部を構成する上枠からなる乗場出入口を形成する乗場三方枠と、
前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、
前記遮煙・遮炎スクリーンの下端部に設けられたスクリーン錘と、
前記スクリーン錘上部に設けられ、前記乗場三方枠を組付けて輸送する時に前記遮煙・遮炎スクリーン装置の下面に着脱自在に固定される取っ手と、
前記幕板の背面でかつ前記上枠と前記遮煙・遮炎スクリーン装置との間に位置するように設置され、前記乗場三方枠を組付けて輸送する時に前記スクリーン錘との間に緩衝材を挿入可能な隙間を形成する当て板と、
を備えたことを特徴とするエレベータの乗場装置。
【請求項４】
当て板のスクリーン錘側に固定されるガイド板を更に備え、前記ガイド板の前記当て板への固定は、乗場三方枠を組付けて輸送する時に前記スクリーン錘の下方において固定されることを特徴とする請求項３記載のエレベータの乗場装置。
【請求項５】
左右両側部を構成する縦枠、正面上方部を構成する幕板及び上側水平部を構成する上枠からなる乗場出入口を形成する乗場三方枠と、前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、前記遮煙・遮炎スクリーンの下端部に設けられたスクリーン錘と、前記幕板の背面でかつ前記上枠と前記遮煙・遮炎スクリーン装置との間に位置するように設置された当て板とを備えたエレベータの乗場装置であって、
前記乗場三方枠の縦板、幕板及び上枠を組付けた後、前記当て板を前記設置位置に固定するステップと、
前記遮煙・遮炎スクリーン装置を設置固定するステップと、
前記乗場三方枠の輸送時に、前記遮煙・遮炎スクリーンを全開放位置にした状態で前記スクリーン錘と前記当て板との間に形成される隙間に緩衝材を挿入固定するステップと、
を備えたことを特徴とするエレベータの乗場装置の輸送方法。
【請求項６】
左右両側部を構成する縦枠、正面上方部を構成する幕板及び上側水平部を構成する上枠からなる乗場出入口を形成する乗場三方枠と、前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、前記遮煙・遮炎スクリーンの下端部に設けられたスクリーン錘と、前記スクリーン錘上部に設けられた取っ手と、前記幕板の背面でかつ前記上枠と前記遮煙・遮炎スクリーン装置との間に位置するように設置された当て板とを備えたエレベータの乗場装置であって、
前記乗場三方枠の縦板、幕板及び上枠を組付けた後、前記当て板を前記設置位置に固定するステップと、
前記遮煙・遮炎スクリーン装置を設置固定するステップと、
前記乗場三方枠の輸送時に、前記遮煙・遮炎スクリーンを全開放位置にした状態で前記遮煙・遮炎スクリーン装置の下面にスクリーン錘の取っ手を固定するとともに、前記スクリーン錘と前記当て板との間に形成される隙間に緩衝材を挿入固定するステップと、
を備えたことを特徴とするエレベータの乗場装置の輸送方法。
【請求項７】
左右両側部を構成する縦枠、正面上方部を構成する幕板及び上側水平部を構成する上枠からなる乗場出入口を形成する乗場三方枠と、前記幕板の背面側でかつ前記上枠の上面側に設置され、火災時に収納状態から引き下げられて前記乗場出入口を閉鎖する遮煙・遮炎スクリーンが収納された遮煙・遮炎スクリーン装置と、前記遮煙・遮炎スクリーンの下端部に設けられたスクリーン錘と、前記スクリーン錘上部に設けられた取っ手と、前記幕板の背面でかつ前記上枠と前記遮煙・遮炎スクリーン装置との間に位置するように設置された当て板と、前記当て板のスクリーン錘側に固定されるガイド板とを備えたエレベータの乗場装置であって、
前記乗場三方枠の縦板、幕板及び上枠を組付けた後、前記当て板を前記設置位置に固定するステップと、
前記遮煙・遮炎スクリーン装置を設置固定するステップと、
前記乗場三方枠の輸送時に、前記遮煙・遮炎スクリーンを全開放位置にした状態で前記遮煙・遮炎スクリーン装置の下面にスクリーン錘の取っ手を固定し、前記スクリーン錘の下方で前記ガイド板を前記当て板に固定し、更に前記スクリーン錘と前記当て板との間に形成される隙間に緩衝材を挿入固定するステップと、
を備えたことを特徴とするエレベータの乗場装置の輸送方法。
【発明の詳細な説明】
【技術分野】
【０００１】
この発明は、ビル火災発生時に用いられる遮煙・遮炎スクリーンが組み込まれたエレベータの乗場三方枠を工場で組立てて据付現場に搬入するエレベータの乗場装置及びその輸送方法に関するものである。
【背景技術】
【０００２】
従来、乗場三方枠正面上部の幕板の背面側に遮煙・遮炎スクリーンが組み込まれたエレベータの乗場装置は、例えば、図１、図７及び図８に示すような構造である。図１はエレベータの乗場装置を示す乗場側の正面図、図７は従来のエレベータの乗場装置を示す図１のＡ−Ａ線に沿った断面図、図８は従来のエレベータの乗場装置を示す図１のＢ−Ｂ線に沿った断面図である。
図において、１は乗場出入口、２は乗場の戸、３は乗場出入口を形成する乗場三方枠、３ａは乗場三方枠の左右両側部を構成する縦枠、３ｂは乗場三方枠の正面上方部を構成する幕板、３ｃは乗場三方枠の上側水平部を構成する上枠、４は幕板３ｂの背面側でかつ上枠３ｃの上面側に設置された箱状のスクリーンケース、６は常時はスクリーンケース４内で収納状態に巻き取られている遮煙・遮炎スクリーンで、ビル火災時にはスクリーンケース４から引き下げられて乗場出入口１を閉鎖する。７は縦枠３ａに設けられた遮煙・遮炎スクリーン６を昇降案内する昇降溝、８は遮煙・遮炎スクリーン６の下端部に取り付けられたスクリーン錘で、遮煙・遮炎スクリーン６の下端部を両面から挟み込むスクリーン座板８ａにより構成される。９は乗場三方枠３を工場で組立てて据付現場に搬入する際、スクリーン錘８と上枠３ｃに形成されたスクリーンが挿通するスクリーン挿通穴の周縁部との間に設けられた緩衝材である。
以上のように構成された従来の遮煙・遮炎スクリーン組込型の乗場三方枠３を工場出荷して据付現場まで輸送する際に種々の問題が発生する。例えば、輸送中に緩衝材９が外れてスクリーン錘８がフリー状態となって、スクリーンの破れや、スクリーン錘の変形、傷付きの不具合が発生し、製品コストが嵩む。また、工場組付け時に乗場三方枠３の幕板３ｂ及び上枠３ｃの意匠面で固定している為、意匠面を傷付けたりして工作性が悪い。更に、工場組付け時、乗場装置を横に倒して水平状態に置くために、スクリーン錘８の中央部の自重による変形（撓み）が発生し、スクリーンケース４の下面にスクリーン錘８の取っ手を取り付ける作業に時間が掛り、工作性が悪い。
【０００３】
また、他の従来技術としては、遮炎・遮煙シャッターが火災発生時に乗場の開口部を閉鎖する機能を阻害することなく、エレベータ利用者の視界から遮炎・遮煙シャッターを隠すことができるエレベータ乗場装置が知られている（例えば、特許文献１参照）。更に、工場で一体的に組立てられてユニット化されるエレベータの乗場装置が知られている（例えば、特許文献２参照）。
【０００４】
【特許文献１】特開２００４−５１２５７号公報
【特許文献２】特開平１０−３１０３５４号公報
【発明の開示】
【発明が解決しようとする課題】
【０００５】
従来のエレベータの乗場装置では、遮煙・遮炎スクリーン組込型の乗場三方枠を工場出荷して据付現場まで輸送する際、輸送中に緩衝材が外れてスクリーン錘がフリー状態となり、スクリーンの破れや、スクリーン錘の変形、傷付きの不具合が発生し、製品コストが嵩む。また、工場組付け時に乗場三方枠の幕板及び上枠の意匠面を傷付けたりして工作性が悪い。更に、工場組付け時、乗場装置を横に倒して水平状態に置くために、スクリーン錘の中央部の自重による変形（撓み）が発生し、スクリーンケースの下面にスクリーン錘の取っ手を取り付ける作業に時間が掛り、工作性が悪いという問題があった。
【０００６】
また、従来技術のエレベータ乗場装置では、塞ぎ板が利用者の視界から錘を隠し、第三者のイタズラを防止するものであり、据付前の輸送を考慮したものではない。更に、他の従来技術のエレベータの乗場装置は、ハンガーケースと敷居を固定金具により連結し、三方枠を強度部材として使用するものであり、遮煙・遮炎スクリーン組込型の乗場三方枠を対象にしたものではない。
【０００７】
この発明は上記のような課題を解決するためになされたもので、輸送中に緩衝材が外れてスクリーン錘がフリー状態とならず、スクリーンの破れやスクリーン錘の変形、傷付き等の不具合を解消するようにしたエレベータの乗場装置及びその輸送方法を提供することを目的とする。
【課題を解決するための手段】
【０００８】
この発明に係るエレベータの乗場装置は、左右両側部を構成する縦枠、正面上方部を構成する幕板及び上側水平部を構成する上枠からなる乗場出入口を形成する乗場三方枠と、幕板の背面側でかつ前記上枠の上面側に設置され、火災時に収納状態から引き下げられて乗場出入口を閉鎖する遮煙・遮炎スクリーンが収納された遮煙・遮炎スクリーン装置と、幕板の背面でかつ上枠と遮煙・遮炎スクリーン装置との間に位置するように設置された防煙用の当て板とを備えたものである。
【０００９】
また、この発明に係るエレベータの乗場装置の輸送方法は、乗場三方枠の縦板、幕板及び上枠を組付けた後、当て板を設置位置に固定するステップと、遮煙・遮炎スクリーン装置を設置固定するステップと、乗場三方枠の輸送時に、遮煙・遮炎スクリーンを全開放位置にした状態でスクリーン錘と当て板との間に形成される隙間に緩衝材を挿入固定するステップとを備えたものである。
【発明の効果】
【００１０】
この発明によれば、輸送中に緩衝材が外れてスクリーン錘がフリー状態とならないので、スクリーンの破れやスクリーン錘の変形、傷付き等の不具合を安価に解消することができる。
【発明を実施するための最良の形態】
【００１１】
実施の形態１.
図１はエレベータの乗場装置を示す乗場側の正面図、図２はこの発明の実施の形態１におけるエレベータの乗場装置を示す図１のＡ−Ａ線に沿った断面図を更に９０度横に倒した図、図３はこの発明の実施の形態１におけるエレベータの乗場装置の上部構造を背面側から見た上部背面図である。
【００１２】
図において、１は乗場出入口、２は乗場の戸、３は乗場出入口１を形成する乗場三方枠、３ａは乗場三方枠の左右両側部を構成する縦枠、３ｂは乗場三方枠の正面上方部を構成する幕板、３ｃは乗場三方枠の上側水平部を構成する上枠、４は幕板３ｂの背面側でかつ上枠３ｃの上面側に設置された箱状のスクリーンケース、６は常時はスクリーンケース４内で収納状態に巻き取られている遮煙・遮炎スクリーンで、ビル火災時にはスクリーンケース４から引き下げられ、上枠３ｃに形成されたスクリーン挿通穴を挿通して乗場出入口１を閉鎖する。７は縦枠３ａに設けられた遮煙・遮炎スクリーン６を昇降案内する昇降溝、１０は遮煙・遮炎スクリーン６の下端部に取り付けられたスクリーン錘で、遮煙・遮炎スクリーン６の下端部を両面から挟み込むスクリーン座板１０ａにより構成される。１０ｂはスクリーン錘１０を構成するスクリーン座板１０ａの上端部中央に上方へ延びるように設けられたＬ字状の取っ手、１１は乗場三方枠３を工場で組立てて据付現場に搬入する際、スクリーン錘１０のＬ字状取っ手１０ｂの上端水平部をスクリーンケース４の下面に固定するためのネジ、１２は幕板３ｂの背面と昇降溝７との間でかつ上枠３ｃの上面とスクリーンケース９の下面との間に位置するように設置された当て板である。この当て板１２は、遮煙・遮炎スクリーン６が乗場出入口１を閉鎖する時に延伸する方向に沿って配設されて当て板の役目を果たすとともに、上枠３ｃとスクリーンケース４を連結して上枠３ｃの補強材としての役目を果たし、併せて上枠３ｃ裏面を二重構造として防火性を高めている。１３は乗場三方枠３を工場で組立てて据付現場に搬入する際、スクリーン錘１０と当て板１２との間に設けられた緩衝材である。
以上のように構成された乗場三方枠３は縦枠３ａ、幕板３ｂ及び上枠３ｃを組付けた後、当て板１２を幕板３ｂの背面と昇降溝７との間でかつ上枠３ｃの上面側に固定し、次にスクリーン錘１０、遮煙・遮炎スクリーン６を昇降溝７に通し、スクリーンケース４を乗場三方枠３に固定する。この状態で遮煙・遮炎スクリーン６を全開放可能な位置、すなわち、スクリーンケース４の下面にスクリーン錘１０のＬ字状取っ手１０ｂの上端水平部を当接させた状態で、ネジ１１によりスクリーンケース４の下面に固定する。取っ手１０ｂは、スクリーン錘１０を構成するスクリーン座板１０ａの上端部中央に上方へ延びるように設けたが、両側部、両側部と中央部を含む三箇所、或いは出入口の全幅に連続して設けてもよい。最後に、当て板１２の両側部とスクリーン錘１０との間の隙間に緩衝材１３を挿入し固定してから工場より出荷する。
このような出荷方法により、スクリーンケース４とスクリーン錘１０が取っ手１０ｂの上端水平部により機械的に固定されている為、従来のように輸送中に緩衝材１３が外れてスクリーン錘１０がフリー状態になることがない。したがって、スクリーンの破れやスクリーン錘の変形、傷付き等の不具合がなくなり、製品コストが安価になる。また、工場組付け時に乗場三方枠の幕板、上枠への緩衝材によるスクリーン錘の固定を廃止したので、乗場三方枠の意匠面への傷もなくなり、工作性が向上する。また、乗場三方枠が輸送される時に、図２に示すように、横に倒された状態になることがあるが、その時スクリーン錘１０の自重は、緩衝材１３を介して当て板１２で受けることが可能となる。
【００１３】
したがって、この実施の形態１によるエレベータの乗場装置では、輸送中に緩衝材が外れてスクリーン錘がフリー状態とならず、スクリーンの破れやスクリーン錘の変形、傷付き等の不具合を安価に解消することができる。
【００１４】
実施の形態２．
図４はこの発明の実施の形態２におけるエレベータの乗場装置を示す図１のＡ−Ａ線に沿った断面図、図５はこの発明の実施の形態２におけるエレベータの乗場装置の上部構造を背面側から見た上部背面図、図６はこの発明の実施の形態２におけるエレベータの乗場装置のガイド板部分を示す拡大図である。
【００１５】
この実施の形態２では、上記実施の形態１と同一又は相当部分に同一符号を付して説明を省略する。１４は当て板１２の昇降溝７側に固定されたガイド板である。このガイド板１４の当て板１２への固定は、実施の形態１で説明したスクリーン組込み後、スクリーン錘１０の下方において、ネジ１５により固定する。
このような出荷方法により、ガイド板１４を設けたので、工場組付け時或いは輸送時に乗場三方枠３を横に倒した状態にしても、スクリーン錘１０の全長近くまで渡ってガイド板１４がスクリーン錘１０の重量を受けるので、スクリーン錘１０中央部の自重による変形もなくなる。また、ガイド板１４により、当て板１２とスクリーン錘１０との位置が定まり、取っ手１０ｂをネジ１１で締め付ける時の位置決めとなるので、スクリーンケースの下面へのスクリーン錘の取り付けが容易となる。また、ガイド板１４が緩衝材１３の差込ストッパーとなるため、工作性が向上するとともに、緩衝材１３の輸送中のずれも少ない。
【００１６】
したがって、実施の形態２によれば、工場組付け時或いは輸送時に乗場三方枠を横に倒した状態にしても、スクリーン錘中央部の自重による変形もなくなる。また、スクリーンケースの下面へのスクリーン錘の取り付けが容易となる。また、工作性が向上するとともに、緩衝材の輸送中のずれも少なくなる。
【図面の簡単な説明】
【００１７】
【図１】エレベータの乗場装置を示す乗場側の正面図である。
【図２】この発明の実施の形態１におけるエレベータの乗場装置を示す図１のＡ−Ａ線に沿った断面図を更に９０度横に倒した図である。
【図３】この発明の実施の形態１におけるエレベータの乗場装置の上部構造を背面側から見た上部背面図である。
【図４】この発明の実施の形態２におけるエレベータの乗場装置を示す図１のＡ−Ａ線に沿った断面図である。
【図５】この発明の実施の形態２におけるエレベータの乗場装置の上部構造を背面側から見た上部背面図である。
【図６】この発明の実施の形態２におけるエレベータの乗場装置のガイド板部分を示す拡大図である。
【図７】従来のエレベータの乗場装置を示す図１のＡ−Ａ線に沿った断面図である。
【図８】従来のエレベータの乗場装置を示す図１のＢ−Ｂ線に沿った断面図である。
【符号の説明】
【００１８】
１  乗場出入口
２  乗場の戸
３  乗場三方枠
３ａ  縦枠
３ｂ  幕板
３ｃ  上枠
４  スクリ−ンケース
６  遮煙・遮炎スクリーン
７  昇降溝
８、１０  スクリーン錘
８ａ、１０ａ  スクリーン座板
９、１３  緩衝材
１０ｂ  取っ手
１１、１５  ネジ
１２  当て板
１４  ガイド板
【図１】
2006248712.tif 000003
【図２】
2006248712.tif 000004
【図３】
2006248712.tif 000005
【図４】
2006248712.tif 000006
【図５】
2006248712.tif 000007
【図６】
2006248712.tif 000008
【図７】
2006248712.tif 000009
【図８】
2006248712.tif 000010